【事件の表示】
　平成　５年特許願第２２５５４６号「光ヘッド装置」拒絶査定不服審判事件〔平成　６年１１月２５日出願公開、特開平　６−３２５４０５〕について、次のとおり審決する。
【結　論】
　本件審判の請求は、成り立たない。
【理　由】
１．手続の経緯・本願発明
　本件審判の請求に係る特許願（以下、「本願」という）は、平成５年９月１０日（国内優先権主張：平成４年９月１１日　特願平４−２４３７３３号，平成５年３月１５日　特願平５−８０１１２号）に出願されたものであって、平成１５年７月３１日付けで拒絶すべきものである旨の査定がなされ、これに対し平成１５年９月４日付けで特許法第１２１条第１項の審判が請求されたものである。
　そして、前置審査において、平成１５年１２月１２日付けで拒絶理由が通知なされ、平成１６年２月１６日付けで意見書及び手続補正書が提出されたもので、その請求項１〜６に係る発明は、平成１６年２月１６日で補正された明細書及び図面の記載からみて、その特許請求の範囲１〜６に記載された事項により特定されるとおりのものと認められるところ、そのうち請求項１に係る発明は以下の次のとおりのものである。
　「【請求項１】　情報の記録密度がそれぞれ異なり、かつ基板厚みが異なる高密度用媒体または低密度用媒体に光ビームを照射する光ヘッド装置であって、
　光源と、
　前記光源からの光が進行する光路と、
　前記光路からの光ビームを集光して光スポットとし、前記高密度用媒体または低密度用媒体に照射する対物レンズと、
　前記高密度用媒体または低密度用媒体に応じて、前記光路中で前記光ビームの前記光スポットの収差量を変化させて収差を補正する補正手段と、
　前記補正手段が前記光スポットの収差量を変化させることで影響を受けるトラッキング制御系とフォーカス制御系のゲインを安定化するために、前記高密度用媒体または低密度用媒体に対応させて切り替える手段と、
　を具備したことを特徴とする光ヘッド装置。」（以下、「本願発明」という。）
　
　ところで、上記本願発明を分説しての構成要件に関してであるが、「情報の記録密度がそれぞれ異なり、かつ基板厚みが異なる高密度用媒体または低密度用媒体に光ビームを照射する光ヘッド装置であって、光源と、」は、直接的な記載はないが、後の、「収差補正手段」「ゲイン安定化・・・切り換え手段」の必要性を勘案すると一光源であることが認定できる。
　しかしながら、上記一光源の構成を含む、及び伴う「前記高密度用媒体または低密度用媒体に応じて、前記光路中で前記光ビームの前記光スポットの収差量を変化させて収差を補正する補正手段と、」「前記補正手段が前記光スポットの収差量を変化させることで影響を受けるトラッキング制御系とフォーカス制御系のゲインを安定化するために、前記高密度用媒体または低密度用媒体に対応させて切り替える手段と、」なる構成要件は、上記各国内優先権主張の先の出願のものには何ら記載されてない事項で、上記本願発明に係る事項に限っての特許出願日は平成５年９月１０日である。
　
　
２．刊行物及びその記載
　前置審査において通知された拒絶の理由で引用された刊行物である特開平５−５４４０６号公報（以下、「刊行物」という。）は、光ディスク装置のもので、図面とともに以下の記載がある。（なお、下線は当審で付与した。）
　(2-1)「【発明の詳細な説明】【０００１】【産業上の利用分野】本発明は、従来の
ＣＤ（コンパクト・ディスク）並の記録密度を有する光ディスクと、ＣＤとはディスク基板の厚さが異なりかつ高い記録密度の光ディスクの両方に、情報信号を記録，再生または消去することが可能な光ディスク装置に関するものである。
　(2-2)「【００１０】【発明が解決しようとする課題】ところが、薄い基板用に設計された光ヘッドは、厚い基板の光ディスクには使用できない。以下その理由を説明する。光ディスク用の対物レンズは、集光ビームがディスク基板を通過することによって生じる球面収差を打ち消すよう設計されている。この収差補正はディスク基板の厚さに応じてなされるので、設計値と異なる厚さのディスク基板を通過する集光ビームに対しては、収差補正は正しくなされない。このことを図を用いて説明する。図６は厚さの異なるディスク基板による収差の発生状況を説明する略側面図である。（ａ）は薄いディスク基板用に設計された対物レンズで、設計値通りの厚さのディスク基板を通してビームが集光された状態を光線追跡した図である。同図に於て、破線は記録層の表面を示しており、対物レンズを出射した光線はすべて記録層表面上の一点Ｏに集光している。（ｂ）は（ａ）と同じ薄いディスク基板用に設計された対物レンズで、設計値よりも厚いディスク基板を通してビームが集光された状態を光線追跡した図である。（ｂ）では、対物レンズの最外周縁部から出射された光線は記録層表面上の点Ｏ’に集光するが、光軸に近い光線ほど手前に集光してしまう。これが球面収差であり、この収差が発生すると、対物レンズは光ビームをいわゆる回折限界まで集光できない。従って、薄いディスク基板用に収差補正された対物レンズでは、厚いディスク基板を有する光ディスクには、情報信号を記録，再生または消去することができない。同様に、厚いディスク基板用に収差補正された対物レンズでは、薄いディスク基板を有する光ディスクには、情報信号を記録，再生または消去することができない。」
　(2-3)「【００１５】【作用】本発明は上記した構成により、
装着された光ディスクのディスク基板の厚さに応じて、制御手段が最も収差の発生が少ない波面補正手段を選択し、移動手段がそのような波面補正手段を発光手段と光ディスクの間の光路上に位置させることにより、発光手段からの光ビームを光ディスクの記録層に収差なく集光する。
　(2-4)「【００２２】さらに
、図３（ａ）において、１は第１または第２の光ディスク、３２は光源となる半導体レーザ、３３は半導体レーザ３２からのビームを平行化するコリメータレンズ、３４はビームを２分割するビームスプリッタ、４６はビームを光ディスク１上に集光する対物レンズ、３７はビームスプリッタ３４で分割された反射光を集光する検出レンズ、３８は集光された反射光から光検出信号を得るためのフォトディテクタである。５６は対物レンズ４６を保持するレンズホルダ、５７はレンズホルダ５６を支持するアクチュエータで、前述のトラッキング制御回路１２及びフォーカス制御回路１４より駆動される。また、５４は、その光軸が対物レンズ４６の光軸と平行になるよう、後述されるスライダ５５に取り付けられた波面補正レンズである。５５は波面補正レンズ５４を支持し、ビームスプリッタ３４と対物レンズ４６の間の光束に垂直な面内を横切るように設置されたスライダで、波面補正レンズ５４をこの面内で移動可能にしている。
　【００２３】ここで、対物レンズ４６は図２（ｂ）に示すように、例えばＮＡ＝０．８で、波長７８０ｎｍのレーザビームを約φ１．２μｍのスポット径に集光でき、しかも、厚さｄ2のディスク基板による収差を補正するように光学設計されている。一方、波面補正レンズ５４は、図２（ａ）及び（ｃ）に示すように、対物レンズ４６との合成光学系が、例えばＮＡ＝０．４５で、厚さｄ1のディスク基板による収差を補正するような設計がなされている。すなわち、光ヘッド３では、対物レンズ４６は半導体レーザ３２，コリメータレンズ３３，ビームスプリッタ３４とともに第２の光ディスクに対応した第２の集束光学系を構成し、また、この第２集束光学系に波面補正レンズ５４を加えることによって、第１の光ディスクに対応した第１の集束光学系を構成しているとみなすことができる。」
　(2-5)「【００２５】まず、第２の光ディスクの入ったカートリッジ２が本実施例の光ディスク装置に装着された場合について説明する。カートリッジ２が装着されると、システムコントローラ２２はＬＤ駆動回路２０，フォーカス制御回路１４，ディスク判別回路１６に制御信号を出力し、カートリッジ２の中身が第１の光ディスクと第２の光ディスクのどちらであるかを識別する。この動作及びディスク判別回路１６の構成の詳細は後で説明する。システムコントローラ２２がディスク判別回路１６からの識別信号により、装着された光ディスクが第２の光ディスクだと判断すると、スライダ５５に制御信号を出力する。制御信号が入力されると、スライダ５５は波面補正レンズ５４をＰ１の位置に移動させる。半導体レーザ３２の放射した光がコリメータレンズ３３によって平行光にされ、ビームスプリッタ３４で反射され、対物レンズ４６によって光ディスク１上に集光される。光ディスク１によって反射された光は、再び対物レンズ４６によって平行光にされ、第１のビームスプリッタ３４を透過し、検出レンズ３７によってフォトディテクタ３８上に集光される。フォトディテクタ３８は、集光されたディスク反射光から、光検出信号を信号処理回路１９，スピンドル制御回路１７，フォーカス誤差検出回路１３及びトラッキング誤差検出回路１１へ出力する。アクチュエータ５７は、トラッキング制御回路１２及びフォーカス制御回路１４からの駆動電流によって、レンズホルダ５６をトラッキング方向及びフォーカシング方向に微小変位させ、レーザビームを光ディスク１上の情報トラックに適正に集束させる。
　【００２６】
トラッキング誤差検出回路１１は、入力された光検出信号からトラッキング誤差信号を生成し、トラッキング制御回路１２へ出力する。トラッキング誤差量の検出は、３ビーム法やプッシュプル法などの既知の方法が適用できる。トラッキング制御回路１２は、トラッキング誤差信号に応じてトラッキングアクチュエータ駆動信号を生成し、トラッキング誤差が零になるように光ヘッド３のアクチュエータ５７を制御する。また、フォーカス誤差検出回路１３も同様に、非点集差法などの既知のフォーカス誤差検出法によって、フォーカス誤差信号を生成し、フォーカス制御回路１４及びディスク判別回路１６へ出力する。フォーカス制御回路１４は、フォーカス誤差信号に応じてフォーカスアクチュエータ駆動信号を生成し、フォーカシング誤差が零になるように光ヘッド３のアクチュエータ５７を制御する。
　
　以上の記載事項を総合勘案して、図面とともに整理すると、刊行物には以下の発明が記載されているものと認める。
  「ＣＤ（コンパクト・ディスク）並の記録密度を有する第１の光ディスクと、ＣＤとはディスク基板の厚さが異なりかつ高い記録密度の第２の光ディスクの両方に、情報信号を記録，再生または消去することが可能な光ディスク装置に関するものであって、
　第１または第２の光ディスク１と、光源となる半導体レーザ３２と、半導体レーザ３２からのビームを平行化するコリメータレンズ３３と、ビームを２分割するビームスプリッタ３４と、ビームを光ディスク１上に集光する対物レンズ４６と、ビームスプリッタ３４で分割された反射光を集光する検出レンズ３７と、集光された反射光から光検出信号を得るフォトディテクタ３８でもって光路系を構成し、
　上記光路系には、波面補正レンズ５４が、その光軸が対物レンズ４６の光軸と平行になるよう、スライダ５５に取り付けられ、ビームスプリッタ３４と対物レンズ４６の間の光束に垂直な面内を横切るように設置されて、波面補正レンズ５４をこの面内で移動可能にして、装着された光ディスクのディスク基板の厚さに応じて、制御手段が最も収差の発生が少ない波面補正手段を選択し、移動手段が波面補正手段を発光手段と光ディスクの間の光路上に位置させることにより、発光手段からの光ビームを光ディスクの記録層に収差なく集光するものであり、
　上記対物レンズ４６はレンズホルダ５６で保持され、レンズホルダ５６はアクチュエータ５７で支持され、トラッキング制御回路１２及びフォーカス制御回路１４により駆動され、
　上記光検出信号からは、トラッキング誤差検出回路１１でトラッキング誤差信号を生成して、トラッキング制御回路１２へ出力、トラッキング誤差信号に応じてトラッキングアクチュエータ駆動信号を生成、光ヘッド３のアクチュエータ５７を制御し、フォーカス誤差検出回路１３も同様に、非点集差法などの既知のフォーカス誤差検出法によって、フォーカス誤差信号を生成して、フォーカス制御回路１４へ出力、フォーカス誤差信号に応じてフォーカスアクチュエータ駆動信号を生成、光ヘッド３のアクチュエータ５７を制御してなる光ディスク装置。」（以下、「刊行物発明」という。）
　
　
 ３．対比・判断
　(3-1)本願発明と刊行物発明を対比すると、
　 (i)刊行物発明の「ＣＤ（コンパクト・ディスク）並の記録密度を有する第１の光ディスクと、ＣＤとはディスク基板の厚さが異なりかつ高い記録密度の第２の光ディスク」は、本願発明の「情報の記録密度がそれぞれ異なり、かつ基板厚みが異なる高密度用媒体または低密度用媒体」に相当する。
　 (ii)刊行物発明の「光ディスクの両方に、情報信号を記録，再生または消去することが可能な光ディスク装置」は、本願発明の「光ビームを照射する光ヘッド装置」に相当する。
　 (iii)刊行物発明の「光源となる半導体レーザ３２」は、本願発明の「光源」に相当する。
　 (iv)刊行物発明の「第１または第２の光ディスク１と、光源となる半導体レーザ３２と、半導体レーザ３２からのビームを平行化するコリメータレンズ３３と、ビームを２分割するビームスプリッタ３４と、ビームを光ディスク１上に集光する対物レンズ４６と、ビームスプリッタ３４で分割された反射光を集光する検出レンズ３７と、集光された反射光から光検出信号を得るフォトディテクタ３８でもって光路系を構成」においての、上記「光源となる半導体レーザ３２と、半導体レーザ３２からのビームを・・・光路系を構成」は、本願発明の「光源からの光が進行する光路」に相当し、上記「半導体レーザ３２からのビームを平行化するコリメータレンズ３３と、ビームを２分割するビームスプリッタ３４と、ビームを光ディスク１上に集光する対物レンズ４６」は、本願発明の「光路からの光ビームを集光して光スポットとし、前記高密度用媒体または低密度用媒体に照射する対物レンズ」に各々相当する。
　 (v)刊行物発明の「光路系には、波面補正レンズ５４が、その光軸が対物レンズ４６の光軸と平行になるよう、スライダ５５に取り付けられ、ビームスプリッタ３４と対物レンズ４６の間の光束に垂直な面内を横切るように設置されて、波面補正レンズ５４をこの面内で移動可能にして、装着された光ディスクのディスク基板の厚さに応じて、制御手段が最も収差の発生が少ない波面補正手段を選択し、移動手段が波面補正手段を発光手段と光ディスクの間の光路上に位置させる」であるが、波面補正手段の選択は「発光手段からの光ビームを光ディスクの記録層に収差なく集光する」という目的のものであるから、本願発明の「高密度用媒体または低密度用媒体に応じて、前記光路中で前記光ビームの前記光スポットの収差量を変化させて収差を補正する補正手段」に相当する。
 　(vi)刊行物発明の「対物レンズ４６はレンズホルダ５６で保持され、レンズホルダ５６はアクチュエータ５７で支持され、トラッキング制御回路１２及びフォーカス制御回路１４により駆動」及び「光検出信号からは、トラッキング誤差検出回路１１でトラッキング誤差信号を生成して、トラッキング制御回路１２へ出力、トラッキング誤差信号に応じてトラッキングアクチュエータ駆動信号を生成、光ヘッド３のアクチュエータ５７を制御し、フォーカス誤差検出回路１３も同様に、非点収差法などの既知のフォーカス誤差検出法によって、フォーカス誤差信号を生成して、フォーカス制御回路１４へ出力、フォーカス誤差信号に応じてフォーカスアクチュエータ駆動信号を生成、光ヘッド３のアクチュエータ５７を制御」であるが、これは本願発明の「トラッキング制御系とフォーカス制御系」を「具備」に相当するものである。
　
　結局、本願発明と刊行物発明との〔一致点〕及び〔相違点〕は以下のとおりである。
　 〔一致点〕　
　「情報の記録密度がそれぞれ異なり、かつ基板厚みが異なる高密度用媒体または低密度用媒体に光ビームを照射する光ヘッド装置であって、
　光源と、
　前記光源からの光が進行する光路と、
　前記光路からの光ビームを集光して光スポットとし、前記高密度用媒体または低密度用媒体に照射する対物レンズと、
　前記高密度用媒体または低密度用媒体に応じて、前記光路中で前記光ビームの前記光スポットの収差量を変化させて収差を補正する補正手段と、
　トラッキング制御系とフォーカス制御系と、
　を具備したことを特徴とする光ヘッド装置」の点。
　
　 〔相違点〕
　 刊行物発明のものは、「収差補正手段」と「トラッキング制御系及びフォーカス制御系」に関する構成はあるものの、相互の関連について、特に、本願発明の「前記補正手段が前記光スポットの収差量を変化させることで影響を受けるトラッキング制御系とフォーカス制御系のゲインを安定化するために、前記高密度用媒体または低密度用媒体に対応させて切り替える手段、」に関して刊行物発明のものは言及されていない点。
　
　(3-2)判断
　上記相違点の構成要件は、本願明細書によれば「【００５６】これらの場合、光検出器１１上での光ビーム径が小さくなり、
光量が劣る
　
　
  ４．むすび
　以上のとおりであって、本願発明は、上記刊行物発明に基づき当業者が容易に発明をすることができたものであるから、特許法第２９条第２項の規定により特許を受けることができない。
　
　したがって、本願は、その余の請求項に論及するまでもなく、拒絶すべきものである。　　
　よって、結論のとおり審決する。